Podtech/llm-jp-corpus-v4-ja_patent huggingface dataset:
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
冷却用流体を循環させる内部ルーメンを有する配管と、
前記配管に固定的に連結され、回転して開いた位置と閉じた位置との間を移動可能な可動冷却板と、
前記配管に連結され、前記可動冷却板が、前記開いた位置と前記閉じた位置との間で移動を可能にする少なくとも１つの柔軟なベローズとを備えることを特徴とする、液体ループ冷却装置。
【請求項２】
前記可動冷却板に連結する放熱部品をさらに備え、前記可動冷却板は、前記放熱部品の追加、交換、または、取り外しができるように、前記開いた位置と前記閉じた位置との間で移動可動であることを特徴とする、請求項１に記載の液体ループ冷却装置。
【請求項３】
前記可動冷却板は、前記放熱部品にアクセスできるように、前記放熱部品に対して前記可動冷却板が回転して持ち上がり離れられることを特徴とする、請求項２に記載の液体ループ冷却装置。
【請求項４】
前記配管に連結されたポンプと、
前記配管に連結された液体−空気熱交換器とをさらに備えることを特徴とする、請求項１に記載の液体ループ冷却装置。
【請求項５】
前記配管に連結され、前記冷却用流体を蓄積するリザーバをさらに備えることを特徴とする、請求項１に記載の液体ループ冷却装置。
【請求項６】
シャシと、
前記シャシ内に搭載され、少なくとも１つの放熱部品を含んでいる複数の部品と、
冷却用流体を循環させる内部ルーメンを有する配管と、
前記配管に固定的に連結され、回転して開いた位置と閉じた位置との間を移動可能な可動冷却板と、
前記配管に連結され、前記可動冷却板が、前記開いた位置と前記閉じた位置との間で移動するのを可能にする少なくとも１つの柔軟なベローズとを備えることを特徴とする、コンピュータサーバ。
【請求項７】
前記シャシ内の空気流入口穴および空気流出口穴と、
前記入口穴から前記出口穴へ空気を循環させる少なくとも１つのファンとをさらに備えることを特徴とする、請求項６に記載のコンピュータサーバ。
【請求項８】
前記可動冷却板に連結する放熱部品をさらに備え、前記可動冷却板は、前記放熱部品の追加、交換、または、取り外しができるように前記開いた位置と前記閉じた位置との間で可動であることを特徴とする、請求項６に記載のコンピュータサーバ。
【請求項９】
前記可動冷却板は、前記放熱部品にアクセスできるように、前記放熱部品に対して前記可動冷却板が回転して持ち上がり離れられることを特徴とする、請求項６に記載のコンピュータサーバ。
【請求項１０】
前記配管に連結されたポンプと、
前記配管に連結された液体−空気熱交換器とをさらに備えることを特徴とする、請求項６に記載のコンピュータサーバ。
【請求項１１】
前記配管に連結され、前記冷却用流体を蓄積するリザーバをさらに備えることを特徴とする、請求項６に記載のコンピュータサーバ。
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
同一のカテゴリに属する予め選択された第１の個数のパスワード要素を格納するパスワード要素記憶手段と、
前記パスワード要素と同一のカテゴリに属する複数のスクランブル要素を格納するスクランブル要素記憶手段と、
前記パスワード要素記憶手段に格納された前記第１の個数のパスワード要素、および、前記スクランブル要素記憶手段に格納された複数のスクランブル要素から抽出した前記第１の個数のパスワード要素とは異なる第２の個数のスクランブル要素を混合して形成される混合要素グループを生成する混合要素グループ生成手段と、
前記混合要素グループから選択された前記第１の個数の選択要素を格納する選択要素記憶手段と、
前記選択要素記憶手段に格納された前記選択要素を前記パスワード要素記憶手段に格納された前記パスワード要素と照合する照合手段と、
から構成されることを特徴とするパスワード照合システム。
【請求項２】
前記混合要素グループに含まれる前記第１の個数のパスワード要素および前記第２の個数のスクランブル要素を順序不同に再配置する手段をさらに含むことを特徴とする請求項１記載のパスワード照合システム。
【請求項３】
順序不同に再配置された前記混合要素グループを表示する表示手段をさらに含むことを特徴とする請求項２記載のパスワード照合システム。
【請求項４】
前記表示手段は電気通信回線を介して遠隔地に配置され、前記混合要素グループは前記表示手段へ伝送され、かつ、前記選択要素は前記表示手段から伝送されることを特徴とする請求項３記載のパスワード照合システム。
【請求項５】
前記パスワード要素および前記スクランブル要素は、文字情報、数字情報、記号情報、色情報、形情報、画像情報、および、動画情報のいずれかまたはそれらの組み合わせを含むことを特徴とする請求項１記載のパスワード照合システム。
【請求項６】
前記照合手段は、前記パスワード要素と前記選択要素とが一致した場合、認証を与えることを特徴とする請求項１記載のパスワード照合システム。
【請求項７】
前記照合手段は、前記選択要素が予め定める時間内に選択されない場合、前記照合を拒否することを特徴とする請求項１記載のパスワード照合システム。
【請求項８】
コンピュータに、
同一のカテゴリに属する予め選択された第１の個数のパスワード要素を格納させ、
前記パスワード要素と同一のカテゴリに属する複数のスクランブル要素を格納させ、
前記第１の個数のパスワード要素、および、前記複数のスクランブル要素から抽出した前記第１の個数のパスワード要素とは異なる第２の個数のスクランブル要素を混合して形成される混合要素グループを生成させ、
前記混合要素グループから選択された前記第１の個数の選択要素を格納させ、
前記第１の個数の選択要素を前記第１の個数のパスワード要素と照合させる、
プログラムを記録したコンピュータ読み取り可能な記録媒体。
【請求項９】
前記混合要素グループに含まれる前記第１の個数のパスワード要素および前記第２の個数のスクランブル要素を順序不同に再配置させるプログラムをさらに有することを特徴とする請求項８記載のコンピュータ読み取り可能な記録媒体。
【請求項１０】
順序不同に再配置された前記混合要素グループを表示装置上に表示させるプログラムをさらに有することを特徴とする請求項９記載のコンピュータ読み取り可能な記録媒体。
【請求項１１】
前記表示手段は電気通信回線を介して遠隔地に配置され、前記混合要素グループを前記表示装置へ伝送させ、かつ、前記選択要素を前記表示装置から伝送させるプログラムをさらに有することを特徴とする請求項１０記載のコンピュータ読み取り可能な記録媒体。
【請求項１２】
前記パスワード要素および前記スクランブル要素は、文字情報、数字情報、記号情報、色情報、形情報、画像情報、および、動画情報のいずれかまたはそれらの組み合わせを含むことを特徴とする請求項８記載のコンピュータ読み取り可能な記録媒体。
【請求項１３】
前記照合手段は、前記パスワード要素と前記選択要素とが一致した場合、認証を与えるプログラムをさらに有することを特徴とする請求項８記載のコンピュータ読み取り可能な記録媒体。
【請求項１４】
前記選択要素が予め定める時間内に選択されない場合、前記照合を拒否するプログラムをさらに有することを特徴とする請求項８記載のコンピュータ読み取り可能な記録媒体。
【請求項１５】
同一のカテゴリに属する予め選択された第１の個数のパスワード要素を第１の記憶領域に格納する段階と、
前記パスワード要素と同一のカテゴリに属する複数のスクランブル要素を第２の記憶領域に格納する段階と、
前記第１の記憶領域に格納された前記第１の個数のパスワード要素、および、前記第２の記憶領域に格納された複数のスクランブル要素から抽出した前記第１の個数のパスワード要素とは異なる第２の個数のスクランブル要素を混合して形成される混合要素グループを生成する段階と、
前記混合要素グループから選択された前記第１の個数の選択要素を第３の記憶領域に格納する段階と、
前記第３の記憶領域に格納された前記選択要素を前記第１の記憶領域に格納された前記パスワード要素と照合する段階と、
から構成されることを特徴とするパスワード照合方法。
【請求項１６】
前記混合要素グループを生成する段階は、前記混合要素グループに含まれる前記第１の個数のパスワード要素および前記第２の個数のスクランブル要素を順序不同に再配置する段階をさらに含むことを特徴とする請求項１５記載のパスワード照合方法。
【請求項１７】
順序不同に再配置された前記混合要素グループを表示装置上に表示する段階をさらに含むことを特徴とする請求項１６記載のパスワード照合方法。
【請求項１８】
前記表示装置は電気通信回線を介して遠隔地に配置され、前記混合要素グループを前記表示装置へ伝送し、かつ、前記選択要素を前記表示装置から伝送させる段階をさらに含むことを特徴とする請求項１７記載のパスワード照合方法。
【請求項１９】
前記パスワード要素および前記スクランブル要素は、文字情報、数字情報、記号情報、色情報、形情報、画像情報、および、動画情報のいずれかまたはそれらの組み合わせを含むことを特徴とする請求項１５記載のパスワード照合方法。
【請求項２０】
前記照合する段階は、前記パスワード要素と前記選択要素とが一致した場合、認証を与える段階をさらに有することを特徴とする請求項１５記載のパスワード照合方法。
【請求項２１】
前記照合する段階は、前記選択要素が予め定める時間内に選択されない場合、前記照合を拒否する段階をさらに有することを特徴とする請求項１５記載のパスワード照合方法。
【手続補正書】
【提出日】平成20年10月7日(2008.10.7)
【手続補正１】
【補正対象書類名】特許請求の範囲
【補正対象項目名】全文
【補正方法】変更
【補正の内容】
【特許請求の範囲】
【請求項１】
ネットワークに接続された複数のクライアントと複数の印刷装置との間をネットワークに接続されたデータ取得仲介装置と印刷仲介装置とが仲介して印刷を実現する印刷仲介方法であって、
（ａ）  前記データ取得仲介装置が印刷対象データの選択をユーザに促すための第１の画面を前記データ取得仲介装置にアクセスしてきたクライアントに表示させるステップと、
（ｂ）  前記データ取得仲介装置が、前記第１の画面を介して選択された前記印刷対象データの選択結果を受信し、前記印刷対象データの選択結果に基づき印刷対象データを受信して、前記印刷仲介装置に送信するステップと、
（ｃ）  前記データ取得仲介装置が送信した印刷対象データを前記印刷仲介装置が受信するステップと、
（ｄ）  前記印刷対象データの出力先となる印刷装置の指定を含む印刷条件情報の入力をユーザに促す第２の画面を、前記第１の画面を介して前記印刷対象データの選択を受け取ったクライアントに、前記印刷仲介装置が表示させるステップと、
（ｅ）  前記第２の画面を介して入力された前記印刷条件情報を前記印刷仲介装置が受信するステップと、
（ｆ）  所定の条件が満たされた場合に、前記印刷仲介装置が、前記印刷条件情報に基づいて前記印刷対象データの印刷予測情報を算出し、前記印刷予測情報を表示し印刷実行指示の入力をユーザに促す第３の画面を前記第２の画面を介して前記印刷条件情報が入力されたクライアントに表示させるステップと、
（ｇ）  ステップ（ｃ）で受信した前記印刷対象データを前記印刷装置の機種に依存しない汎用フォーマットに前記印刷仲介装置が変換するステップと、
（ｈ）  前記第３の画面を介して前記印刷実行指示を前記印刷仲介装置が受けるステップと、
（ｉ）  前記印刷実行指示を受けた場合に、前記変換された印刷対象データを前記指定された印刷装置に前記印刷仲介装置が送信するステップと、を備える印刷仲介方法。
【請求項２】
請求項１記載の印刷仲介方法であって、
（ｊ）  前記ステップ（ｅ）で入力された前記印刷条件情報において指定された印刷装置の稼動状況を前記印刷仲介装置が取得するステップと、
（ｋ）  前記取得した稼動状況に基づいて前記指定された印刷装置が印刷可能であるか否かを前記印刷仲介装置が判定するステップと、をさらに備え、
ステップ（ｋ）において印刷可能と判定された場合には、前記所定の条件が満たされたものとして前記印刷仲介装置がステップ（ｆ）の処理を行なうことを特徴とする印刷仲介方法。
【請求項３】
請求項１または２に記載の印刷仲介方法であって、
前記印刷予測情報は、前記指定された印刷装置による対象印刷データの印刷に要する費用または時間のうち少なくともいずれか一方の情報を含む印刷仲介方法。
【請求項４】
ネットワークに接続された複数のクライアントと複数の印刷装置との間をネットワークに接続されたデータ取得仲介装置とともに仲介して印刷を実現する印刷仲介装置であって、
前記データ取得仲介装置から印刷対象データを取得する印刷データ取得部と、
前記印刷対象データを前記印刷装置の機種に依存しない汎用フォーマットに変換するフォーマット変換部と、
前記印刷対象データの出力先となる印刷装置の指定を含む印刷条件情報の入力を促す画面を、前記印刷対象データに関する情報を前記データ取得仲介装置に送信したクライアントに表示させる表示制御部と、
前記画面を介して入力された出力先の印刷装置の指定を含む印刷条件情報を受信する印刷条件受信部と、
前記クライアントから、印刷実行指示を受ける印刷実行指示受信部と、
前記印刷実行指示を受けた場合に前記変換された印刷対象データを前記印刷条件情報により指定された印刷装置に送信する印刷対象データ送信部と、
前記印刷条件情報に基づいて前記印刷対象データの印刷予測情報を算出する印刷予測情報算出部とを有し、
前記表示制御部は、所定の条件が満たされた場合に、前記印刷予測情報を前記クライアントに表示させることを特徴とする印刷仲介装置。
【請求項５】
ネットワークに接続された複数のクライアントと複数の印刷装置との間をネットワークに接続されたデータ取得仲介装置とともに仲介する印刷仲介装置において実行され、印刷を実現するコンピュータプログラムであって、
前記データ取得仲介装置が送信した印刷対象データを受信する機能であって、前記データ取得仲介装置が送信した印刷対象データは、前記データ取得仲介装置にアクセスしてきたクライアントに表示される第１の画面であって印刷対象データの選択をユーザに促す第１の画面を介して行われた前記印刷対象データの選択結果を前記データ取得仲介装置が受信し、前記印刷対象データの選択結果に基づき前記データ取得仲介装置が前記印刷対象データを受信して、前記印刷仲介装置に送信した印刷対象データである、機能と、
前記印刷対象データの出力先となる印刷装置の指定を含む印刷条件情報の入力をユーザに促す第２の画面を、前記第１の画面を介して前記印刷対象データの選択を受け取ったクライアントに表示させる機能と、
前記第２の画面を介して入力された前記印刷条件情報を受信する機能と、
所定の条件が満たされた場合に、前記印刷条件情報に基づいて前記印刷対象データの印刷予測情報を算出し、前記印刷予測情報を表示し印刷実行指示の入力をユーザに促す第３の画面を、前記第２の画面を介して前記印刷条件情報が入力されたクライアントに表示させる機能と、
前記データ取得仲介装置から受信した前記印刷対象データを前記印刷装置の機種に依存しない汎用フォーマットに変換する機能と、
前記第３の画面を介して前記印刷実行指示を受ける機能と、
前記印刷実行指示を受けた場合に、前記変換された印刷対象データを前記指定された印刷装置に送信する機能と、を前記印刷仲介装置に実現させるコンピュータプログラム。
【手続補正書】
【提出日】平成20年2月18日(2008.2.18)
【手続補正１】
【補正対象書類名】明細書
【補正対象項目名】発明の名称
【補正方法】変更
【補正の内容】
【発明の名称】発光装置及び電子機器
【手続補正２】
【補正対象書類名】特許請求の範囲
【補正対象項目名】全文
【補正方法】変更
【補正の内容】
【特許請求の範囲】
【請求項１】
基板上に、第１の電極と、前記第１の電極上に有機化合物を含む層と、前記有機化合物を含む層上に第２の電極とを有する発光素子を複数有する画素部と、前記画素部に信号を入力する駆動回路部と、を備え、
前記画素部と前記駆動回路部とはそれぞれ薄膜トランジスタを有し、
前記駆動回路部が有する薄膜トランジスタ上に端子電極が設けられ、前記端子電極にプリント配線回路が電気的に接続され、
前記第１の電極と前記端子電極とは、同一の導電膜をパターニングして形成されたものであることを特徴とする発光装置。
【請求項２】
基板とカバー材との間に、第１の電極と、前記第１の電極上に有機化合物を含む層と、前記有機化合物を含む層上に第２の電極とを有する発光素子を複数有する画素部と、前記画素部に信号を入力する駆動回路部と、を備え、
前記画素部と前記駆動回路部とはそれぞれ薄膜トランジスタを有し、
前記駆動回路部が有する薄膜トランジスタ上に端子電極が設けられ、前記端子電極にプリント配線回路が電気的に接続され、
前記第１の電極と前記端子電極とは、同一の透明導電膜をパターニングして形成されたものであり、
前記基板は矩形であり、前記基板の３辺の端面にはシール材が設けられ、
前記基板の３辺の端面は、前記シール材によって固定された前記カバー材によって覆われていることを特徴とする発光装置。
【請求項３】
基板とカバー材との間に、第１の電極と、前記第１の電極上に有機化合物を含む層と、前記有機化合物を含む層上に第２の電極とを有する発光素子を複数有する画素部と、前記画素部に信号を入力する駆動回路部と、を備え、
前記画素部と前記駆動回路部とはそれぞれ薄膜トランジスタを有し、
前記駆動回路部が有する薄膜トランジスタ上に端子電極が設けられ、前記端子電極にプリント配線回路が電気的に接続され、
前記第１の電極と前記端子電極とは、同一の透明導電膜をパターニングして形成されたものであり、
前記駆動回路部上にシール材と前記カバー材の端部が配置され、
前記基板は矩形であり、前記基板の３辺の端面には前記シール材が設けられ、
前記基板の３辺の端面は、前記シール材によって固定された前記カバー材によって覆われていることを特徴とする発光装置。
【請求項４】
請求項２または請求項３において、
前記シール材はフィラー、微粒子を含有することを特徴とする発光装置。
【請求項５】
請求項１乃至請求項４のいずれか一において、
前記透明導電膜は、インジウム錫酸化物、Ｓｉ元素を含むインジウム錫酸化物、酸化インジウムに２〜２０％の酸化亜鉛を混合した材料のいずれかを用いて形成されたものであることを特徴とする発光装置。
【請求項６】
請求項１乃至請求項５のいずれか一において、
前記端子電極と前記駆動回路部の薄膜トランジスタとの間には、絶縁膜が設けられていることを特徴とする発光装置。
【請求項７】
請求項１乃至請求項５のいずれか一において、
前記端子電極と前記駆動回路部の薄膜トランジスタとの間には、絶縁膜が設けられ、
前記絶縁膜の側面を覆う導電膜を有することを特徴とする発光装置。
【請求項８】
請求項１乃至請求項５のいずれか一において、
前記端子電極と前記駆動回路部の薄膜トランジスタとの間には、絶縁膜が設けられ、
前記絶縁膜の側面を覆う導電膜を有し、
前記導電膜は、前記第１の電極及び前記端子電極を形成するための透明導電膜と同一の透明導電膜をパターニングすることによって形成されたものであることを特徴とする発光装置。
【請求項９】
請求項１乃至請求項８のいずれか一において、
前記端子電極と前記駆動回路部の薄膜トランジスタとの間には、塗布法によって形成された絶縁膜が設けられていることを特徴とする発光装置。
【請求項１０】
請求項１乃至請求項９のいずれか一において、
前記プリント配線回路は異方性導電接着材によってで前記端子電極と電気的に接続されていることを特徴とする発光装置。
【請求項１１】
請求項１乃至請求項１０のいずれか一において、
前記画素部は、赤色の発光素子、緑色の発光素子、青色の発光素子を有し、
前記青色の発光素子における前記第１の電極の面積を前記赤色の発光素子及び前記緑色の発光素子における前記第１の電極の面積よりも大きくすることを特徴とする発光装置。
【請求項１２】
請求項１乃至請求項１１のいずれか一において、
前記発光装置は、ビデオカメラ、デジタルカメラ、パーソナルコンピュータ、または携帯情報端末であることを特徴とする電子機器。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
１以上のファイルから構成される格納されているデータストリームを第１及び第２サブストリームに分割する方法であって、どの物理的ストレージデータユニットがファイルに属するか定義するためにファイルシステムが利用され、該方法は、
前記格納されているデータストリーム内において、意図される分割位置を含み、独立したファイルとして格納可能な最小の物理的ストレージデータユニットを検出するステップと、
前記意図される分割位置を有する物理的ストレージデータユニットと任意的に１以上の近隣の物理的ストレージデータユニットを含む独立した第１ファイルを生成するステップと、
前記第１ファイルのストリームデータに先行するストリームデータを含む第２ファイルと、前記第１ファイルのストリームデータに後続するストリームデータを含む第３ファイルとを生成するステップと、
前記第１及び第２ファイルを介し前記第１サブストリームを参照し、前記第１及び第３ファイルを介し前記第２サブストリームを参照するステップと、
から構成され、
前記第１ファイルの物理的ストレージデータユニットは、前記第１及び第２サブストリームの一部である、
ことを特徴とする方法。
【請求項２】
請求項１記載の方法であって、
前記独立した第１ファイルは、前記物理的ストレージデータユニットのみを含むことを特徴とする方法。
【請求項３】
請求項１記載の方法であって、
前記第１、第２及び第３ファイルを生成するステップは、対応する第１、第２及び第３クリップ情報ファイルを生成することからなり、
前記第１、第２及び第３ファイルを参照するステップは、前記対応するクリップ情報ファイルを参照することからなる、
ことを特徴とする方法。
【請求項４】
請求項１記載の方法であって、
各クリップ情報ファイルは、少なくとも１つのプレイリストを介し完全または部分的に参照されることを特徴とする方法。
【請求項５】
請求項３記載の方法であって、
前記サブストリームは、タイムスタンプを含むソースパケットを含み、
前記クリップ情報ファイル内のリンクは、前記タイムスタンプへの参照である、
ことを特徴とする方法。
【請求項６】
請求項４記載の方法であって、
前記３つのクリップ情報ファイルに対し、３つの異なるプレイリストが自動的に生成されることを特徴とする方法。
【請求項７】
請求項４記載の方法であって、
前記第１及び第２クリップ情報ファイルを参照する第１プレイリストと、前記第１及び第３クリップ情報ファイルを参照する第２プレイリストの２つの独立したプレイリストが生成されることを特徴とする方法。
【請求項８】
請求項１記載の方法であって、
前記ファイルシステムにアクセス可能であり、独立したファイルとして宣言可能な最小の物理的ストレージデータユニットは、３つのセクタを含むＡＵ（Ａｌｉｇｎｅｄ  Ｕｎｉｔ）であり、
各セクタは、各々が１９２バイトを有する３２個までのソースパケットを含む、
ことを特徴とする方法。
【請求項９】
請求項１記載の方法であって、
前記サブストリームは、ソースパケットを有し、
前記分割位置は、格納されているソースパケットの間にあることを特徴とする方法。
【請求項１０】
ストレージ装置に格納されているマルチメディアデータストリームを第１及び第２サブストリームに分割する装置であって、どの物理的ストレージデータユニットがファイルに属するか定義するためにファイルシステムが利用され、該装置は、
前記使用されているファイルシステムの下でアプリケーションフォーマットにより提供される最小のアクセス可能な物理的ストレージデータユニット内の分割位置を受信するインタフェース手段と、
前記分割位置を含む最小のアクセス可能な物理的ストレージデータユニットと任意的に近隣の物理的ストレージデータユニットとを有する第１ファイルを第１制御ファイルに基づき規定する手段と、
前記第１サブストリームに完全に属するマルチメディアデータストリームの残りの物理的ストレージデータユニットを第２ファイルとして、前記第２サブストリームに完全に属するマルチメディアデータストリームの残りの物理的ストレージデータユニットを第３ファイルとして規定する手段と、
から構成されることを特徴とする装置。
【請求項１１】
請求項１０記載の装置であって、
前記分割位置を含む最小のアクセス可能な物理的ストレージデータユニットのみが、独立した第１ファイルとして格納されることを特徴とする装置。
【請求項１２】
請求項１０記載の装置であって、
前記物理的ストレージデータユニットを前記第１、第２及び第３ファイルに規定する手段は、対応する第１、第２及び第３クリップ情報ファイルを生成することからなり、
前記第１、第２及び第３ファイルは、前記対応するクリップ情報ファイルを介し参照される、
ことを特徴とする装置。
【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
頒布された光ディスクを個別に識別する識別情報に応じて、前記光ディスクを駆動する光ディスク装置で、前記光ディスクに記録されたデジタルコンテンツを管理する方法であって、
光ディスクから前記識別情報を取得するステップと、
前記識別情報を、前記デジタルコンテンツを管理するサーバに送るステップと、
前記光ディスクに記録されたデジタルコンテンツの欠損部分に関するアドレス情報を検出するステップと、
前記デジタルコンテンツの欠損部分に関する前記アドレス情報を前記サーバに送るステップと、
前記サーバで前記識別情報により前記光ディスクが真正品であると判断された場合に、前記サーバから送られる前記欠損部分を補填する補填情報を受け取るステップと、
前記光ディスクに記録された前記デジタルコンテンツの前記欠損部分を前記補填情報によって補填するステップと
を含むことを特徴とするデジタルコンテンツ管理方法。
【請求項２】
前記ＩＣタグユニットは、
固有の識別情報を格納するＩＣ部と、
Ｓ極とＮ極とが所定の間隔で離間した磁界に対する相対運動によって電磁誘導による第１誘導電流を発生する第１コイルと、
前記第１コイルで発生した前記第１誘導電流を整流する第１整流器と、
前記第１整流器で整流された第１整流電流から所定の電圧を生成して前記ＩＣ部に印加するレギュレータと
を備え、
前記ＩＣタグユニットから前記識別情報を取得するステップは、
磁界に対して前記光ディスクを相対運動させて、前記ＩＣタグユニットの前記第１コイルに電磁誘導によって第１誘導電流を発生させ、所定の電圧を前記ＩＣ部に印加して、前記ＩＣ部から前記識別情報を発信させるステップと、
前記識別情報を受信するステップと
を含むことを特徴とする請求項１に記載のデジタルコンテンツ管理方法。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
像担持体上にトナー像を形成する画像形成部、前記像担持体上に形成された前記トナー像を転写材へ転写する転写部、前記転写材上に転写された前記トナー像を定着する定着部を有するとともに、前記転写材の両面にトナー像を形成する画像形成装置であって、
転写材の裏面への画像形成のため定着後の搬送経路に前記転写材の移動方向を曲げるガイド面を有するとともに、前記ガイド面は前記転写材の搬送に際して定着後の前記転写材のトナー像面の全面が接触する形状を有することを特徴とする画像形成装置。
【請求項２】
前記ガイド面は転写材の両面に画像を形成する場合と片面に画像を形成して排紙する場合で転写材の移動方向を切換る排紙切換部材上に設けられていることを特徴とする請求項１に記載の画像形成装置。
【請求項３】
前記ガイド面は円筒内面形状で一様に滑らかなガイド面であることを特徴とする請求項１または２に記載の画像形成装置。
【請求項４】
前記ガイド面は斜行リブ形状を有することを特徴とする請求項１または２に記載の画像形成装置。
【請求項５】
前記トナー像はワックスを含有したトナーにより形成されることを特徴とする請求項１乃至４の何れか１項に記載の画像形成装置。
【請求項６】
前記画像形成部を複数有し、カラー画像が形成されることを特徴とする請求項１乃至５の何れか１項に記載の画像形成装置。
【手続補正２】
【補正対象書類名】明細書
【補正対象項目名】０００６
【補正方法】変更
【補正の内容】
【０００６】
この目的は次の技術手段によって達成される。
【手続補正３】
【補正対象書類名】明細書
【補正対象項目名】０００７
【補正方法】変更
【補正の内容】
【０００７】
（１）像担持体上にトナー像を形成する画像形成部、前記像担持体上に形成された前記トナー像を転写材へ転写する転写部、前記転写材上に転写された前記トナー像を定着する定着部を有するとともに、前記転写材の両面にトナー像を形成する画像形成装置であって、
転写材の裏面への画像形成のため定着後の搬送経路に前記転写材の移動方向を曲げるガイド面を有するとともに、前記ガイド面は前記転写材の搬送に際して定着後の前記転写材のトナー像面の全面が接触する形状を有することを特徴とする画像形成装置。
【手続補正４】
【補正対象書類名】明細書
【補正対象項目名】０００８
【補正方法】変更
【補正の内容】
【０００８】
（２）前記ガイド面は転写材の両面に画像を形成する場合と片面に画像を形成して排紙する場合で転写材の移動方向を切換る排紙切換部材上に設けられていることを特徴とする（１）項に記載の画像形成装置。
（３）前記ガイド面は円筒内面形状で一様に滑らかなガイド面であることを特徴とする（１）項または（２）項に記載の画像形成装置。
（４）前記ガイド面は斜行リブ形状を有することを特徴とする（１）項または（２）項に記載の画像形成装置。
（５）前記トナー像はワックスを含有したトナーにより形成されることを特徴とする（１）項乃至（４）項の何れか１項に記載の画像形成装置。
（６）前記画像形成部を複数有し、カラー画像が形成されることを特徴とする（１）項乃至（５）項の何れか１項に記載の画像形成装置。
【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
水平方向に直線状に延びた相互に平行な２本一組が上下方向に積層された複数組のガイドレールと、
前記ガイドレールそれぞれの両端近くに配置された複数組のスプロケットと、
それぞれ一組の前記ガイドレールに平行な直線走行経路を走行し、前記スプロケットに巻き回されて半円走行経路を走行して折り返すことにより一つのガイドレールから上下に隣接する他の組の前記ガイドレールと平行な他の直線走行経路を走行する一組の無端チェーンと、
前後方向に距離を置いて、前記一組のガイドレール上を転動する２個一組のガイドローラが２組本体の側方に突設されており、前後の前記ガイドローラ取付位置の中心において、左右方向に延びる軸線周りに回動可能に前記一組の無端チェーンに取り付けられた複数のパレットと、
前記スプロケットそれぞれの後方に、前記パレットの前記ガイドローラ取付位置と前記無端チェーン取付位置との間の距離と同じ距離を空けて配置され、一組の前記ガイドレールの端まで走行してきたパレットの後方の組の前記ガイドローラの外周面をそれらの間の形状が前記ガイドローラの外周面の形状と部分的に略一致する２つの爪により把持して保持しつつ、前記スプロケットと同期して回転し、上下に隣接する他の組の前記ガイドレールに前記ガイドローラが略接触すると保持していた前記ガイドローラを解放する複数組のスタビライザとを含むことを特徴とするコンベア装置。
【請求項２】
前記スプロケットそれぞれの前方に、前記パレットの前記ガイドローラ取付位置と前記無端チェーン取付位置との間の距離と同じ距離を空けて配置され、前記パレットの後方の組の前記ガイドローラが前記スタビライザに保持されている間、該パレットの前方の組の前記ガイドローラが転動する半円状ガイドレールをさらに含む請求項１に記載のコンベア装置。
【請求項３】
前記スタビライザが取り付けられた回転軸には前記スプロケットと同じ外径を有する従動スプロケットが取り付けられており、前記無端チェーンと噛み合っている請求項１または２に記載のコンベア装置。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
モールド内に前処理後石英ガラスを収容して、該前処理後石英ガラスを加熱加圧することにより、略平坦な表面をもつ所望形状の石英ガラスを成形する方法において、
前処理前石英ガラスの内部に石英ガラス合成時に発生した泡が存在する場合、該前処理前石英ガラスを、前記泡の中心より石英ガラス内部側で切断することにより、前記前処理前石英ガラスから切り出して前記前処理後石英ガラスを得ることを特徴とする石英ガラスの前処理方法。
【請求項２】
モールド内に前処理後石英ガラスを収容して、該前処理後石英ガラスを加熱加圧することにより、略平坦な表面をもつ所望形状の石英ガラスを成形する方法において、
前処理前石英ガラスの内部に石英ガラス合成時に発生した泡が存在する場合、前記前処理前石英ガラスの表面から前記泡まで貫通する貫通孔を形成することにより、前記泡を外部と連通させた前記前処理後石英ガラスを得ることを特徴とする石英ガラスの前処理方法。
【請求項３】
請求項１に記載の石英ガラスの前処理方法において、前記前処理後石英ガラスの表面に残存する泡の容積が、切断前の泡の容積の５０％以下であることを特徴とする石英ガラスの前処理方法。
【請求項４】
請求項２に記載の石英ガラスの前処理方法において、前記貫通孔の直径が前記泡の直径の５０％以上であることを特徴とする石英ガラスの前処理方法。
【請求項５】
請求項２に記載の前処理方法において、前記貫通孔の長さが前記泡の直径の２倍以下であることを特徴とする石英ガラスの前処理方法。
【請求項６】
請求項１乃至５の何れか一つに記載の石英ガラスの前処理方法よって得られた前記前処理後石英ガラスを、真空雰囲気内で加熱加圧することにより、略平坦な表面をもつ所望形状の石英ガラスを成形することを特徴とする石英ガラスの成形方法。
【請求項７】
請求項１乃至５の何れか一つに記載の前処理方法よって得られた前記前処理後石英ガラスを、0.1mm/分以下の速度で加熱加圧することにより、略平坦な表面をもつ所望形状の石英ガラスを成形することを特徴とする石英ガラスの成形方法。
【請求項８】
請求項６又は７に記載の成形方法で所望形状の石英ガラスを成形した後、更に、前記モールド内に、Ｎ２ガス等の不活性ガスを導入して雰囲気温度を均一にした後、更に前記石英ガラスを加熱加圧することを特徴とする石英ガラスの成形方法。
【手続補正２】
【補正対象書類名】明細書
【補正対象項目名】００１１
【補正方法】変更
【補正の内容】
【００１１】
すなわち、請求項１に記載の発明は、モールド内に前処理後石英ガラスを収容して、該前処理後石英ガラスを加熱加圧することにより、略平坦な表面をもつ所望形状の石英ガラスを成形する方法において、前処理前石英ガラスの内部に石英ガラス合成時に発生した泡が存在する場合、該前処理前石英ガラスを、前記泡の中心より石英ガラス内部側で切断することにより、前記前処理前石英ガラスから切り出して前記前処理後石英ガラスを得る石英ガラスの前処理方法としたことを特徴とする。
【手続補正３】
【補正対象書類名】明細書
【補正対象項目名】００１２
【補正方法】変更
【補正の内容】
【００１２】
請求項２に記載の発明は、モールド内に前処理後石英ガラスを収容して、該前処理後石英ガラスを加熱加圧することにより、略平坦な表面をもつ所望形状の石英ガラスを成形する方法において、前処理前石英ガラスの内部に石英ガラス合成時に発生した泡が存在する場合、前記前処理前石英ガラスの表面から前記泡まで貫通する貫通孔を形成することにより、前記泡を外部と連通させた前記前処理後石英ガラスを得る石英ガラスの前処理方法としたことを特徴とする。
【手続補正書】
【提出日】平成20年1月22日(2008.1.22)
【手続補正１】
【補正対象書類名】明細書
【補正対象項目名】００３５
【補正方法】変更
【補正の内容】
【００３５】
〈クリンカーの製造及びその評価〉
ＣａＯ源原料としての炭酸カルシウムと、ＭｇＯ源原料としての水酸化マグネシウムと、ＮｉＯ源原料としての酸化ニッケル（和光純薬工業株式会社）と、Ａｌ2Ｏ3源原料としての仮焼アルミナとを、準備した。先ず、これらの原料を用いて、得られる焼成物（クリンカー）の化学組成が下記表１に掲げるものとなるように、５種類の配合物を調製し、混合せしめた後、バインダとしてのポリビニルアルコールを更に添加して、混練した。次いで、かかる混練物をブリケットマシンにて成形した後、得られた成型物を乾燥せしめ、更にその後、ロータリーキルンにて１７５０℃の温度にて焼成することにより、焼成物として、５種類のクリンカー（クリンカーａ〜ｅ）を得た。
【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
化合物半導体単結晶の製造に用いられる縦型の熱分解窒化硼素（ＰＢＮ）製容器であって、溶融酸化硼素の液滴が８０度以上１４０度未満の範囲内の接触角を生じる内壁を有することを特徴とする化合物半導体単結晶製造用縦型ＰＢＮ容器。
【請求項２】
前記内壁上に形成された酸化硼素層を含むことを特徴とする請求項１に記載の化合物半導体単結晶製造用縦型ＰＢＮ容器。
【請求項３】
前記酸化硼素層は前記内壁の酸化処理によって形成されたものであることを特徴とする請求項２に記載の化合物半導体単結晶製造用縦型ＰＢＮ容器。
【請求項４】
請求項１から３のいずれかの縦型ＰＢＮ製容器を使用して化合物半導体単結晶を育成することを特徴とする化合物半導体単結晶製造方法。
【請求項５】
縦型ブリッジマン法によって単結晶を育成することを特徴とする請求項４に記載の化合物半導体単結晶製造方法。
【請求項６】
ＧａＡｓ単結晶を育成することを特徴とする請求項４または５に記載の化合物半導体単結晶製造方法。
【請求項７】
ＩｎＰ単結晶を育成することを特徴とする請求項４または５に記載の化合物半導体単結晶製造方法。
【請求項８】
請求項１の縦型ＰＢＮ容器を選別する方法であって、前記容器の上端部からＰＢＮ切片を採取し、そのＰＢＮ切片において前記容器の内壁に対応する面上に酸化硼素粒子を載置し、不活性雰囲気下において前記酸化硼素粒子を溶融させてその液滴を形成し、前記酸化硼素液滴が前記ＰＢＮ切片の表面に対して８０度以上１４０度未満の範囲内の接触角を生じるという条件を満たす前記容器を選別することを特徴とする縦型ＰＢＮ容器の選別方法
。
【手続補正２】
【補正対象書類名】明細書
【補正対象項目名】０００７
【補正方法】変更
【補正の内容】
【０００７】
本発明によれば、化合物半導体単結晶の製造に用いられる縦型の熱分解窒化硼素（ＰＢＮ）製容器は、溶融酸化硼素の液滴が８０度以上１４０度未満の範囲内の接触角を生じる内壁を有していることを特徴としている。なお、そのＰＢＮ製容器は、その内壁上に形成された酸化硼素層を含むことが好ましい。また、その酸化硼素層は、ＰＢＮ製容器の内壁の酸化処理によって形成されたものであることが好ましい。
【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
本管と、該本管に接合された分岐管と、からなり、該分岐管が通電加熱される用途に用いられる白金または白金製の中空管であって、
前記本管および前記分岐管の接合部およびその近傍には、角部およびその近傍を除いて厚肉部が設けられていることを特徴とする白金または白金合金製の中空管。
【請求項２】
前記厚肉部は、下記式（１）ないし（３）を満たすことを特徴とする請求項１に記載の白金または白金合金製の中空管。
Ｌ1＝１．２ｄ〜２．０ｄ・・・（１）
Ｌ2＝０．２ｄ〜１．５ｄ・・・（２）
ｔ＝１．２ｔ0〜１．５ｔ0・・・（３）
Ｌ1：本管における厚肉部の最大長（ｍｍ）
Ｌ2：分岐管における厚肉部の最大長（ｍｍ）
ｄ：分岐管の外径（ｍｍ）
ｔ：厚肉部の肉厚（ｍｍ）
ｔ0：厚肉部以外の中空管の肉厚（ｍｍ）
【請求項３】
前記分岐管が、前記本管に対して直交するように接合されている請求項１または２に記載の白金または白金合金製の中空管。
【請求項４】
請求項１ないし３のいずれかに記載の白金または白金合金製の中空管を用いたガラス製造装置。
【請求項５】
請求項１ないし３のいずれかに白金または白金合金製の中空管を通電加熱する方法であって、
前記本管から前記分岐管へ電流が流れるように通電することを特徴とする白金または白金合金製の中空管を通電加熱する方法。
【請求項６】
請求項４に記載のガラス製造装置を用いたガラス製造方法であって、ガラス製造装置の白金または白金合金製の中空管を請求項５に記載の方法を用いて通電加熱するガラス製造方法。
【手続補正２】
【補正対象書類名】明細書
【補正対象項目名】発明の名称
【補正方法】変更
【補正の内容】
【発明の名称】ガラス製造装置およびその構成要素、および該構成要素を通電加熱する方法、ならびにガラス製造方法
【手続補正３】
【補正対象書類名】明細書
【補正対象項目名】０００１
【補正方法】変更
【補正の内容】
【０００１】
本発明は、ガラス製造装置の溶融ガラスの導管として好適な白金または白金合金製の中空管に関する。本発明の中空管は、本管と、該本管に接合された分岐管と、からなる。本発明の中空管は、分岐管が通電加熱される用途に用いられる。
また、本発明は、本発明の中空管を用いたガラス製造装置に関する。
また、本発明は、本発明の中空管を通電加熱する方法に関する。
また、本発明は、本発明のガラス製造装置、および、本発明の通電加熱方法を用いたガラス製造方法に関する。
【手続補正４】
【補正対象書類名】明細書
【補正対象項目名】０００５
【補正方法】変更
【補正の内容】
【０００５】
図５に示す中空管１００で分岐管１０２を通電加熱した際、中空管１００の特定の部位に電流が集中することが問題となっていた。図５に示す中空管１００において、矢印方向に電流が流れるように通電した場合、電流はその特性上最短経路を流れようとする。そのため、矢印方向に電流を流した際、本管１０１と分岐管１０２との接合部１０３のうち、電流の最短経路に位置する角部１０４に電流が集中する。このような電流集中が発生した場合、中空管１００の寿命に悪影響を及ぼす。また、角部１０４は、電流集中により局部加熱される。局部加熱が発生した場合、中空管１００が熱応力によって破損したり、中空管１００内を流通する溶融ガラスが変質するおそれがある。また、局部加熱が発生した場合、中空管１００内を流通する溶融ガラスに偏流が生じるおそれがある。このような偏流の発生も溶融ガラスの変質の原因となる。
本発明は、上記した問題点を解決するため、分岐管を通電加熱する際に生じる特定の部位への電流集中が軽減された白金または白金合金製の中空管を提供することを目的とする。本発明の白金または白金合金製の中空管は、ガラス製造装置の溶融ガラスの導管として好適である。
また、本発明は、該中空管を溶融ガラスの導管として用いたガラス製造装置を提供することを目的とする。
また、本発明は、該中空管を通電加熱する方法を提供することを目的とする。
また、本発明は、該ガラス製造装置、および、該通電加熱方法を用いたガラス製造方法を提供することを目的とする。
【手続補正５】
【補正対象書類名】明細書
【補正対象項目名】００１０
【補正方法】変更
【補正の内容】
【００１０】
また、本発明は、上記した白金または白金合金製の中空管を通電加熱する方法であって、
前記本管から前記分岐管へ電流が流れるように通電することを特徴とする白金または白金合金製の中空管を通電加熱する方法を提供する。
また、本発明は、上記したガラス製造装置を用いたガラス製造方法であって、ガラス製造装置の白金または白金合金製の中空管を上記した方法を用いて通電加熱するガラス製造方法を提供する。
【手続補正６】
【補正対象書類名】明細書
【補正対象項目名】００２７
【補正方法】変更
【補正の内容】
【００２７】
本発明のガラス製造装置では、高温の溶融ガラスが通過する溶融ガラスの導管として、本発明の中空管が用いられている。本発明の中空管は、ガラス製造装置の溶融ガラス経路における分岐を有する個所に広く用いることができる。本発明の中空管を使用する部位の具体例としては、例えば、ガラス製造装置から不純物を除去するために設けられた流出管、ガラス製造装置からレンズ、プリズム等の光学部品を成形する場合に成形用の型に溶融ガラスを流出させるための流出管、溶解槽から成型槽への導管等が挙げられる。
また、本発明の中空管は、減圧雰囲気下で溶融ガラスから脱泡を行う減圧脱泡装置中、減圧脱泡槽と上昇管との接合部、または減圧脱泡槽と下降管との接合部に使用可能である。減圧脱泡装置においては、中空管にわずかな亀裂が生じても大きな問題となるので、分岐管を通電加熱する際の特定の部位への電流集中が軽減された本発明の中空管を用いるのが好ましい部位である。
本発明のガラス製造装置では、通電加熱時に生じる導管の局部加熱が軽減されている。このため、導管を流通する溶融ガラスが変質するおそれがない。また、導管を流通する溶融ガラスで偏流が生じるおそれがない。
本発明のガラス製造方法は、本発明のガラス製造装置を用いてガラスを製造する方法であり、ガラス製造時において、溶融ガラスの導管として用いられる本発明の中空管を、上記したように本管から分岐管へ電流が流れるように通電加熱するものである。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
生理学的物質および化学物質から選択される少なくとも一つの目的物質を、該目的物質と相互作用により結合し得るアフィニティタグを固定した水溶性の親水性物質および該親水性物質と混和することで水性二相分離を発現する水溶性の凝集剤の少なくとも二成分を用いて分離する方法であって、該目的物質と結合し得るアフィニティタグを有する親水性物質に該目的物質を作用させて、目的物質と親水性物質との結合体を均一分散系で形成する工程、該目的物質と親水性物質との結合体に、該親水性物質と水性二液分離可能な複合体を形成する凝集剤を作用させて、高分子コンプレックスもしくは低分子コンプレックス（以下「分子コンプレックス」と称する）の凝集体を形成する工程、該分子コンプレックス凝集体を上澄から分離する工程を含むことを特徴とする目的物質の分離方法。
【請求項２】
生理学的物質および化学物質から選択される少なくとも一つの目的物質を、該目的物質と相互作用により結合し得るアフィニティタグを固定した水溶性の親水性物質と磁気成分との複合体（以下「親水性物質／磁気成分複合体」と称する）および該親水性物質と混和することで水性二相分離を発現する水溶性の凝集剤の少なくとも二成分を用いて分離する方法であって、該目的物質と結合し得るアフィニティタグを有する親水性物質と磁気成分との複合体に該目的物質を作用させて、目的物質と親水性物質／磁気成分複合体との結合体を均一分散系で形成する工程、該目的物質と親水性物質／磁気成分複合体との結合体に、該親水性物質と水性二液分離可能な複合体を形成する凝集剤を作用させて、分子コンプレックス凝集体を形成する工程、該分子コンプレックス凝集体を上澄から分離する工程を含むことを特徴とする目的物質の分離方法。
【請求項３】
上記アフィニティタグが、二種以上の異なるアフィニティタグの連続体であることを特徴とする請求項１または２記載の分離方法。
【請求項４】
上記親水性物質がポリオール、ポリサッカライド、ポリサッカライド誘導体、水酸基を有する合成ポリオール、及び水酸基を有する重合性単量体を重合して得られた合成ポリマーからなる群から選択される少なくとも一種である請求項１〜３のいずれかに記載の分離方法。
【請求項５】
上記親水性物質がデキストラン、デキストリン、セルロース、アガロース、澱粉、カルボキシメチルセルロース、ジエチルアミノセルロース、ヒドロキシアセチルセルロース、ジエチルアミノエチルセルロース、ヒドロキシアセチルセルロース、プルラン、アミロース、ゼラチン、アラビノースガラクタン、ポリビニルアルコール、ポリアリルアルコール、重合性単量体としてアリルアルコール、２−ヒドロキシエチル（メタ）アクリレート、グリセロール−モノ（メタ）アクリレート、４−ヒドロキシブチルアクリレート、３−ヒドロキシブチルアクリレート、３−ヒドロキシプロピルアクリレートおよび２−ヒドロキシ−２−メチルプロピルアクリレートから選択される少なくとも一種を重合して得られた合成ポリマー、及び、重合性単量体として、水酸基を保護された、アリルアルコール、２−ヒドロキシエチル（メタ）アクリレート、グリセロール−モノ（メタ）アクリレート、４−ヒドロキシブチルアクリレート、３−ヒドロキシブチルアクリレート、３−ヒドロキシプロピルアクリレートおよび２−ヒドロキシ−２−メチルプロピルアクリレートから選択される少なくとも一種を重合して得られた合成ポリマーから該水酸基の保護基を除去した合成ポリマー、からなる群から選択される少なくとも１種である請求項１〜４のいずれかに記載の分離方法。
【請求項６】
上記親水性物質／磁気成分複合体における磁気成分が、マグネタイト、マグヘマイトおよびヘマタイトから選択される少なくとも一種を含有することを特徴とする請求項２〜５のいずれかに記載の分離方法。
【請求項７】
上記アフィニティタグと目的物質との組み合わせが、抗体／ペプチド、抗体／抗原、抗体のフラグメント／抗原、核酸／核酸、タンパク質／核酸、ペプチド／ペプチド、タンパク質／タンパク質、薬物候補物質／タンパク質、グルタチオン／ＧＳＴ、マルトース／マルトース結合タンパク質、炭水化物／タンパク質、炭水化物誘導体／タンパク質、ペプチドタグ／金属イオン−金属キレート、ペプチド／ＮＴＡ−Ｎｉ、プロテインＡ／抗体、プロテインＧ／抗体、プロテインＬ／抗体、Ｆｃレセプター／抗体、ビオチン／アビジン、ビオチン／ストレプトアビジン、ジンクフィンガー／核酸、薬物候補物質／ペプチド、薬物候補物質／レセプター、および金属イオン／キレート剤／ポリアミノ酸からなる群から選択される少なくとも一種である請求項１〜６のいずれかに記載の分離方法。
【請求項８】
上記親水性物質または上記親水性物質／磁気成分複合体と水性二液分離可能な複合体を形成する凝集剤が、ポリアルキレングリコールである請求項１〜７のいずれかに記載の分離方法。
【請求項９】
上記親水性物質または上記親水性物質／磁気成分複合体と水性二液分離可能な複合体を形成する凝集剤が、ポリエチレングリコール、ポリプロピレングリコール、ポリエチレングリコールポリプロピレングリコールランダムコポリマーおよびポリエチレングリコールポリプロピレングリコールブロックコポリマーから選択される少なくとも一種である請求項８記載の分離方法。
【請求項１０】
上記親水性物質または上記親水性物質／磁気成分複合体と凝集剤とから得られる分子コンプレックス凝集体を、遠心分離、濾過分離、磁気分離の少なくとも一つから選ばれる方法により上澄から分離することを特徴とする請求項２〜９のいずれかに記載の分離方法。
【請求項１１】
生理学的物質および化学物質から選択される少なくとも一つの目的物質と、該目的物質と相互作用により結合し得るアフィニティタグを固定した水溶性の親水性物質と、該親水性物質と混和することで水性二相分離を発現する水溶性の凝集剤とを含有する分子コンプレックス。
【請求項１２】
生理学的物質および化学物質から選択される少なくとも一つの目的物質と、該目的物質と相互作用により結合し得るアフィニティタグを固定した水溶性の親水性物質と磁気成分との複合体と、該親水性物質と混和することで水性二相分離を発現する水溶性の凝集剤とを含有する分子コンプレックス。
【請求項１３】
上記アフィニティタグが、二種以上の異なるアフィニティタグの連続体であることを特徴とする請求項１１または１２記載の分子コンプレックス。
【請求項１４】
上記親水性物質がポリオール、ポリサッカライド、ポリサッカライド誘導体、水酸基を有する合成ポリオール、及び水酸基を有する重合性単量体を重合して得られた合成ポリマーからなる群から選択される少なくとも一種である請求項１１〜１３のいずれかに記載の分子コンプレックス。
【請求項１５】
上記親水性物質または上記親水性物質／磁気成分複合体と水性二液分離可能な複合体を形成する凝集剤が、ポリアルキレングリコールである請求項１１〜１４のいずれかに記載の分子コンプレックス。
【手続補正書】
【提出日】平成20年5月16日(2008.5.16)
【手続補正１】
【補正対象書類名】明細書
【補正対象項目名】００３７
【補正方法】変更
【補正の内容】
【００３７】
アガロースゲル電気泳動
マイクロピペッターを用いて、2%アガロースゲルのウェルに試料を流し込み、100Vで泳動を行った。電気泳動終了後、UVトランスイルミネーター上でポラロイド（登録商標）写真を撮った。
【手続補正２】
【補正対象書類名】明細書
【補正対象項目名】００６３
【補正方法】変更
【補正の内容】
【００６３】
【図１】DNA断片化の検出を示す図面である。
【図２】アスコフィラム ノドサム抽出物のゲルろ過クロマトグラムである。
【図３】クロロフィルＣの定性結果を示す図面である。
【手続補正３】
【補正対象書類名】図面
【補正対象項目名】図２
【補正方法】変更
【補正の内容】
【図２】
2006327968.tif 000001